(57)【要約】【課題】所望の指定時間だけ電力を供給する風力式電飾装置を提供する。【解決手段】被電飾体とそれを電気的に装飾する発光体と、その発光する時間を指定する発光時間指定回路を設け、風力発電部から発光体へ供給する電源の接続／切断を制御するように風力式電飾装置を構成する。【選択図】    図１
2005025081.tif 000002
【特許請求の範囲】
【請求項１】
被電飾体とそれを電気的に装飾する発光体と、その発光する時間を指定する発光時間指定回路と、風力発電部からなる風力式電飾装置であって、前記発光時間指定回路は、前記風力発電部で発電した電力を前記発光体へ供給する接続／切断を制御するように構成したことを特徴とする風力式電飾装置。
【請求項２】
前記発光時間指定回路は、周囲の明るさを検知する感光素子と前記感光素子の回路出力で前記電力の接続／切断を行うためのスイッチを含むことを特徴とする請求項１記載の風力式電飾装置。
【請求項３】
前記発光時間指定回路は、前記電力の導通・非導通を開閉するスイッチの接続／切断を行う時間を指定する時計機能と時間指定記憶部とを含むことを特徴とする請求項１又は請求項２記載の風力式電飾装置。
【請求項４】
前記風力発電部に併設して太陽電池部を有し、風力の弱い場合の電力を補って電飾を行うようにしたことを特徴とする請求項１〜請求項３のいずれか１つに記載の風力式電飾装置。
【請求項５】
前記発光体は、前記被電飾体の表現する文字または形象に沿って付設されたことを特徴とする請求項１〜請求項４のいずれか１つに記載の風力式電飾装置。
【発明の詳細な説明】
【０００１】
【発明の属する技術分野】
モニュメント又は、装飾に使用される形象物の電気的照明・装飾を行う風力式電飾装置に関するものである。
【０００２】
【従来の技術】
従来このようなモニュメント又は、形象物は公園や庭園に単体として設置される場合が多く、電気的な照明・装飾を行うには、商用電源を引くか、バッテリーで駆動していた。
【０００３】
【発明が解決しようとする課題】
このような従来の技術では、施工費が高いか、バッテリー交換等のメンテナンスの面で不都合となっていたことと、装飾の面で、環境に配慮した省資源の技術が要求されていた。
【０００４】
【課題を解決するための手段】
これを解決するため、本発明では、モニュメントまたは形象物と呼ばれる被電飾体とそれを電気的に装飾する発光体とこれを駆動する時間を決定する発光時間指定回路を設け、風力発電部から発光体へ供給する電源の接続／切断を制御するように構成したものである。また、風力発電部等は、被電飾体の表現する景観の一部として景観に整合するように組み込まれている。
請求項１記載の発明は、風力式電飾装置において、被電飾体とそれを電気的に装飾する発光体と、その発光する時間を指定する発光時間指定回路と、風力発電部からなる風力式電飾装置であって、前記発光時間指定回路は、前記風力発電部で発電した電力を前記発光体へ供給する接続／切断を制御するように構成したことを特徴とする。
【０００５】
請求項２記載の発明は、請求項１記載の風力式電飾装置において、前記発光時間指定回路は、周囲の明るさを検知する感光素子と前記感光素子の回路出力で前記電力の接続／切断を行うためのスイッチを含むことを特徴とする。
【０００６】
請求項３記載の発明は、請求項１又は請求項２記載の風力式電飾装置において、前記発光時間指定回路は、前記電力の導通・非導通を開閉するスイッチの接続／切断を行う時間を指定する時計機能と時間指定記憶部とを含むことを特徴とする。
【０００７】
請求項４記載の発明は、請求項１〜請求項３のいずれか１つに記載の風力式電飾装置において、前記風力発電部に併設して太陽電池部を有し、風力の弱い場合の電力を補って電飾を行うようにしたことを特徴とする。
【０００８】
請求項５記載の発明は、請求項１〜請求項４のいずれか１つに記載の風力式電飾装置において、前記発光体は、前記被電飾体の表現する文字または形象に沿って付設されたことを特徴とする。
【０００９】
【発明の実施の形態】
以下、本発明の形態について図面を用い説明する。
図１は、本発明に係る風力式電飾装置の一実施態様であって、モニュメント等の被電飾体に搭載したものである。１１は被電飾体であり、その景観に整合するように図２で説明する風力発電式電飾装置１２が複数搭載されている。両側に縦列に配列された４枚羽根の見える部分が風力発電式電飾装置１２の部分である。発光体は、例えば１３の太陽マーク部や、１４のＥＣＯ文字部に搭載され電飾に寄与している。
【００１０】
図２は、本発明に係る風力式電飾装置の被電飾体を除く部分の実施態様を示すブロック図である。２０は、風力発電部であり、風力発電部コア２１と風力発電部コア２１で発電された脈流を整流し、電圧を安定化し、二次電池に充電するための調整回路２２とからなっている。２３は、発光時間指定回路であり、風力発電部２０からの電力を発光体２４に与え、電飾を行うための時間を設定するものである。これら風力発電部２０、発光時間指定回路２３、発光体２４が図には示されていない被電飾体に被電飾体の表現する景観に整合する形で付設され、発光時間指定回路２３で決まる時間だけ電飾を行うようになっている。
【００１１】
図３は、図２の風力発電部２０の断面図であり、風力発電部コア２１は、３１〜３６からなっている。少し詳しく説明すると、３１は、風力を受けて回転するための羽根であり、この羽根３１の回転に伴い、回転体３４が回転する。この回転体３４の内側には、周方向にＳ極、Ｎ極の永久磁石３３が交互に複数並んだ磁石支持体３２が付いていて、永久磁石３３も回転することになる。
３５は、鉄心に巻かれたコイルであり固定されている。３６は、回転を補助する回転軸である。永久磁石３３の回転により、コイル３５を鎖交する磁界が変化するので電力が誘起される。３７は、図２の調整回路２２に対応する調整回路対応部であり、その回路の実際の例は図４のようになっている。
【００１２】
図４で、４１は、Ｌ１、Ｌ２、Ｌ３が図３のコイル３５に対応している。４２は、Ｄ１〜Ｄ６のダイオードで脈流を整流する整流回路であり、４３は、コンデンサＣと抵抗Ｒ３１〜Ｒ３３とトランジスタＱ３１、Ｑ３２とツェナーダオードＤ３１からなる定電圧回路である。４４は、その出力を充電する二次電池ＢＴ１と逆流防止用のダイオードＤ３２と出力端子Ｔｈ、Ｔｇを有する二次電池部を有する二次電池回路である。ダイオードＤ３２があるので、二次電池ＢＴ１からは定電圧回路４３側へは、電流が逆流することは無い。
【００１３】
図５は、図２の発光時間指定回路２３の一実施例であって、暗くなったことを検知して電力を発光体２４に供給する回路である。端子５１は、二次電池回路４４の端子Ｔｈに、５２は端子Ｔｇに接続される。５４は、フォトダイオード等の感光素子であり、光を受けて導通し、暗い場合は非導通となる。５５は抵抗である。５６は、スイッチであり、ゲート５７の電位が閾値より高い電位、言い換えると、デジタル値「１」の場合に導通し、端子５１と端子５３の間が導通する。光を受けた場合は、端子５８の電位はデジタル値「０」となり、これをゲート５７に与えると、スイッチ５６は非導通となる。暗い場合は端子５８の電位は「１」となり、スイッチ５６は導通となり、端子５２、端子５３側に繋がれた発光体２４に電力を供給して電飾を行うことができる。この例では、感光素子５４により明るさを検知して発光時間を決めたが、例えば、発光体２４に電力を供給する時間を指定するために時計機能と時間指定記憶部を搭載し、これにより決まった電力供給時間の間だけ、デジタル値「１」となる信号を図５のスイッチ５６のゲート５７に与えてもよい。その場合は、感光素子５４は、不要となる。
【００１４】
なお、図２では、風力発電部２０、発光時間指定回路２３、発光体２４の関係は、１個ずつの対応のように見えるが、例として複数の風力発電部コア２１と複数の発光体２４に対して、調整回路２２、発光時間指定回路２３が１個の対応も可能であり、その組み合わせには自由度がある。また、風力が弱い場合に補助する手段として太陽電池を併設すれば、風力発電部コア２１以外の部分は共有できて、電飾を安定に行うことが可能である。
【００１５】
【発明の効果】
以上のように、風力式電飾装置は、被電飾体とそれを電気的に装飾する発光体と、その発光する時間を指定する発光時間指定回路を設け、風力発電部から発光体へ供給する電源の接続／切断を制御するように構成したものであるので、被電飾体の表現する景観に整合して被電飾体に組み込むことができ、孤立した公園、庭園等で電源を新たに引くことも無く、バッテリーの交換等のわずらわしい保守も必要が無く、被電飾体に必要な時間だけ電源を供給でき、電飾が可能となった。
【図面の簡単な説明】
【図１】本発明による風力式電飾装置の一実施態様を示す図である。
【図２】本発明による風力式電飾装置の構成の一実施態様を示す電気的ブロック図である。
【図３】図２の電気的ブロック図の風力発電部２０の機構部の断面の一実施態様を示す図である。
【図４】図２の電気的ブロック図の調整回路２２の実際の回路の一実施態様を示す図である。
【図５】図２の電気的ブロック図の発光時間指定回路２３の回路の一実施態様を示す図である。
【符号の説明】
１１・・・被電飾体、１２・・・風力発電式電飾装置
１３・・・太陽マーク部、１４・・・ＥＣＯ文字部
２０・・・風力発電部、２１・・・風力発電部コア、２２・・・調整回路
２３・・・発光時間指定回路、２４・・・発光体
３１・・・羽根、３２・・・磁石支持体、３３・・・永久磁石
３４・・・回転体、３５・・・コイル、３６・・・回転軸
３７・・・調整回路対応部、４１・・・コイル対応部、４２・・・整流回路
４３・・・定電圧回路、４４・・・二次電池回路
５１，５２，５３，５８・・・端子、５４・・・感光素子、５５・・・抵抗
５６・・・スイッチ、５７・・・ゲート
【図１】
2005025081.tif 000003
【図２】
2005025081.tif 000004
【図３】
2005025081.tif 000005
【図４】
2005025081.tif 000006
【図５】
2005025081.tif 000007